(57)【要約】  簡略に言うと、参照数字に基づく電圧値により該半導体素子の動作電圧を変化させることで、該半導体素子の電力消費を管理することができる、半導体素子の電力管理システムの方法／装置である。【選択図】図１
2008524844.tif 000002
【特許請求の範囲】
【請求項１】
一以上の電圧レベルに関する参照数字を生成する工程と、
前記参照数字に基づく必要な電圧値により半導体素子の動作電圧を変化させることで、前記半導体素子の消費電力を管理する工程とを含む、方法。
【請求項２】
前記生成する工程は、
周波数値の範囲により必要な電圧レベルをマッピングすることと、
前記必要な電圧レベルと前記半導体素子の動作周波数とをデコードして前記参照数字を提供することとを含む、請求項１に記載の方法。
【請求項３】
前記生成する工程は、
必要な電圧レベルと前記半導体素子の二以上の部の動作周波数とをデコードして前記参照数字を提供することを含む、請求項１に記載の方法。
【請求項４】
前記参照数字をデコードして前記必要な電圧レベルによる前記必要な電圧値を生成する工程を含む、請求項１に記載の方法。
【請求項５】
前記電圧レベルをデコードする工程は、
前記参照数字を前記半導体素子の特性で操作して前記必要な電圧値を提供することを含む、請求項４に記載の方法。
【請求項６】
参照数字にも基づく必要な電圧値により半導体素子の動作電圧を変化させることで、前記半導体素子の消費電力を管理する電力管理部を含み、前記参照数字は一以上の電圧レベルに関する、半導体素子。
【請求項７】
周波数値の範囲により必要な電圧レベルをマッピングするマッピングレジスタと、
前記必要な電圧レベルと前記半導体素子の動作周波数とをデコードして前記参照数字を提供する電圧レベルデコーダとを含む、請求項６に記載の半導体素子。
【請求項８】
前記電圧レベルデコーダは、必要な電圧レベルと前記半導体素子の二以上の部の動作周波数とをデコードして前記参照数字を提供する、請求項７に記載の半導体素子。
【請求項９】
前記参照数字をデコードして前記必要な電圧レベルによる必要な電圧値を生成する電圧値デコーダを含む、請求項６に記載の半導体素子。
【請求項１０】
前記電圧レベルデコーダは、前記参照数字を前記半導体素子の特性で操作して前記必要な電圧値を提供する、請求項７に記載の半導体素子。
【請求項１１】
必要な電圧レベルに基づく参照数字に関する必要な電圧値により装置の電圧を変化させる電圧管理部を含む装置であって、前記必要な電圧レベルは前記装置の必要な動作周波数に関する、装置。
【請求項１２】
必要な動作周波数値を提供する一以上の周波数制御レジスタと、
周波数値の範囲を前記必要な電圧レベルにマッピングする一以上のマッピングレジスタと、
前記必要な動作周波数値により前記参照数字を前記必要な電圧レベルに付与する電圧レベルデコーダとを含む、請求項１１に記載の装置。
【請求項１３】
一以上の電圧値を前記必要な電圧レベルに整合させて整合電圧値を提供する一以上の設定レジスタと、
前記参照数字と前記整合電圧値とから前記必要な電圧値をデコードする電圧値デコーダとを含む、請求項１１に記載の装置。
【請求項１４】
前記電圧値デコーダは前記参照数字を前記装置の一以上の特性で操作して前記電圧値を生成する、請求項１３に記載の装置。
【請求項１５】
半導体素子の電圧値を提供する電圧レギュレータを含む携帯機器であって、
前記半導体素子は、必要な電圧レベルに基づく参照数字に関する必要な電圧値により前記電圧レギュレータの電圧を変化させる電力管理部を含み、前記必要な電圧レベルは前記装置の必要な動作周波数に関する、携帯機器。
【請求項１６】
前記半導体素子は、
必要な動作周波数値を提供する一以上の周波数制御レジスタと、
周波数値の範囲を前記必要な電圧レベルにマッピングする一以上のマッピングレジスタと、
前記必要な動作周波数値により前記参照数字を前記必要な電圧レベルに付与する電圧レベルデコーダとを含む、請求項１５に記載の携帯機器。
【請求項１７】
前記半導体素子は、
一以上の電圧値を前記必要な電圧レベルに整合させて整合電圧値を提供する一以上の設定レジスタと、
前記参照数字と前記整合電圧値とから前記必要な電圧値をデコードする電圧値デコーダとを含む、請求項１５に記載の携帯機器。
【請求項１８】
前記電圧値デコーダは前記参照数字を前記半導体素子の一以上の特性で操作して前記電圧値を生成する、請求項１７に記載の携帯機器。
【請求項１９】
実行されると、
一以上の電圧レベルに関する参照数字を生成する命令と、
前記参照数字に基づく必要な電圧値により前記半導体素子の動作電圧を変化させることで、前記半導体素子の消費電力を管理する命令とを記憶している記憶媒体を含む部品。
【請求項２０】
前記生成する命令は、実行されると、
周波数値の範囲により必要な電圧レベルをマッピングし、
前記必要な電圧レベルと前記半導体素子の動作周波数とをデコードして前記参照数字を提供する、請求項１９に記載の部品。
【請求項２１】
前記生成する命令は、実行されると、
必要な電圧レベルと前記半導体素子の二以上の部の動作周波数とをデコードして前記参照数字を提供する、請求項１９に記載の部品。
【請求項２２】
前記生成する命令と前記管理する命令は、実行されると、
前記参照数字をデコードして前記必要な電圧レベルによる前記必要な電圧値を生成する、請求項１９に記載の部品。
【請求項２３】
前記電圧レベルをデコードする命令は、実行されると、
前記参照番号を前記半導体素子の特性で操作して前記必要な電圧値を提供する、請求項１９に記載の部品。
【発明の詳細な説明】
【背景技術】
【０００１】
通例、本技術分野で半導体素子は「チップ」と呼ばれる。半導体素子は、マイクロエレクトロニクスシステムを含むことがある。例えば、一枚のシステムオンチップ（ＳＯＣ）に、グラフィックコントローラ、プロセッサ、モデム、一以上の無線通信部、入出力インターフェース部、表示コントローラ、デジタル信号プロセッサ、一以上のメモリ等が含まれることがある。システムオンチップは例えば、電池式機器および／または低電力機器に利用することができ、電池式および／または低電力の機器のシステムオンチップあるいはその他の要素の電力消費を制御する動的電圧管理（ＤＶＭ）機構を含むことがある。
【図面の簡単な説明】
【０００２】
本発明とみなされる主題は、明細書の結論部分で特に指摘、明確に請求されている。しかし、本発明は、その構成および動作方法、およびその目的、特徴、及び利点について、以下の詳細な記載を付随する図面と共に読むことで一番よく理解されるであろう。当該図面中、
【０００３】
【図１】本発明の例示的実施形態による無線通信機器の概略図である。
【０００４】
【図２】本発明の例示的実施形態による電力管理システムの概略ブロック図である。
【０００５】
【図３】本発明の一例示的実施形態による半導体素子の動作電圧の変化方法を示す概略フローチャートである。
【０００６】
【図４】本発明の別の例示的実施形態による半導体素子の動作電圧の変化方法を示す概略フローチャートである。
【０００７】
例示を簡略化および明瞭化すべく、図面に示された要素は必ずしも原寸に比例して描かれたものではないことは理解されよう。例えば、要素の中にはその寸法を他の要素に比して拡大して、明瞭化しているものもある。さらに、適切と思われる箇所において参照番号は、対応する、あるいは類似した要素を示すために図面間で繰り返されることもある。
【発明を実施するための最良の形態】
【０００８】
以下の詳細な記載において、発明の完全な理解を提供すべく数々の特定の詳細が記載されている。しかし本技術分野の当業者には理解されるように、本発明はこれら特定の詳細なしに実施することができる場合もある。その他の場合においては、本発明を不明瞭にしない目的から、よく知られた方法、手順、部材、および回路については詳細に記載されていない。
【０００９】
以下の詳細な記載の幾らかの部分は、コンピュータメモリ内のデータビットあるいは二進デジタル信号に対する動作のアルゴリズムおよび象徴的表現により表される。アルゴリズムによる記載および表現はデータ加工分野の当業者が本技術分野の他の当業者に自分の仕事の実体を伝えるのに利用されうる技術である。
【００１０】
そうではないと明記される場合を除いて、以下の説明から明らかなように、明細書全般に亘り「加工」「コンピューティング」「計算」「決定」などの用語を利用する説明箇所については、コンピューティングシステム内のレジスタおよび／またはメモリ内の電子などの物理量としてあらわされるデータを、同様にコンピューティングシステムのメモリ、レジスタ、あるいは他のこのような情報記憶、送信、あるいは表示機器内の物理量として表されるほかのデータに、操作および／または変換する、コンピュータあるいはコンピューティングシステムあるいは類似した電子コンピューティング機器の動作および／または工程のことを言う。加えて、「複数」という用語を明細書全般に亘り使用して、二以上の部材、機器、要素、パラメタなどを記載している場合がある。例えば、「複数の移動局」という場合、二以上の移動局のことを記載している。
【００１１】
本発明は様々なアプリケーションで利用ができることが理解されるべきである。本発明はこの点に限られないが、ここで開示した回路および技術は多くの装置（例えば、携帯機器、電池式機器、無線システムの無線通信機器など）で利用することができる。本発明の範囲に包括を意図されている無線通信機器は、例えば単に例示ではあるが、無線ローカルエリアネットワーク（ＷＬＡＮ）機器、双方向無線機器、デジタル無線機器、アナログ無線機器、セルラー無線電話機器などである。
【００１２】
本発明の範囲に包括を意図されている携帯機器の種類は、それに限定はされないが、タブレット・コンピュータ、携帯情報端末（ＰＤＡ）、可搬電子メール（Ｅｍａｉｌ）機器、などである。
【００１３】
本発明の実施形態の中には、例えば、機械に実行されて（例えば、無線通信システムの放送局および／または他の適切な機械により）、機械に本発明の実施形態による方法および／または動作を行わせる命令あるいは命令群を記憶することのできる機械読取可能な媒体あるいは部品を利用して実施してもよいものもある。このような機械には、例えば、任意の適切な加工プラットフォーム、コンピューティングプラットフォーム、コンピューティング機器、加工機器、コンピューティングシステム、加工システム、コンピュータ、プロセッサ、などが含まれてよく、ハードウェアおよび／またはソフトウェアの任意の適切な組み合わせにより実行されてもよい。機械読取可能なメモリ機器あるいは部品には、例えば、任意の適切な種類のメモリ部、メモリ機器、メモリ部品、メモリ媒体、記憶機器、記憶部品、記憶媒体、および／または記憶部、例えばメモリ、取外可能・不可能な媒体、消去可能・不可能な媒体、書込・再書込可能な媒体、デジタル・アナログ媒体、ハードディスク、フロッピーディスク、ＣＤ−ＲＯＭ（Compact Disk Read Only Memory）、ＣＤ―Ｒ（Compact Disk Recordable）、ＣＤ−ＲＷ（Compact Disk Rewritable）、光ディスク、磁気媒体、様々な種類のＤＶＤ（Digital versatile Disks）、テープ、カセットなどが含まれ得る。命令には、任意の適切な種類のコードが含まれ得、それは例えば、ソース・コード、コンパイル済みコード、解釈済みコード、実行可能コード、静的コード、動的コードなどであり、任意の高級、低級、オブジェクト指向、視覚上の、コンパイル済みおよび／または解釈済みプログラミング言語（例えば、Ｃ、Ｃ＋＋、Ｊａｖａ、ＢＡＳＩＣ、Ｐａｓｃａｌ、Ｆｏｒｔｒａｎ、Ｃｏｂｏｌ、アセンブリ言語、機械コードなど）により実施することができる。
【００１４】
図１を参照すると、本発明の例示的実施形態による無線通信機器１００が示されている。本発明の範囲はこの点に限定されないが、無線通信機器１００は、例えばアクセスポイント、無線携帯情報端末（ＰＤＡ）、携帯コンピュータ、携帯データ端末などの、セルラー携帯機器、無線ローカルエリアネットワーク（ＷＬＡＮ）および／または無線メトロポリタンエリアネットワーク（ＷＰＡＮ）の無線機器であってよい。
【００１５】
図１に示す例示的実施形態により、無線通信機器１００はアンテナ１１０、半導体素子１２０、ディスプレイ１３０、スピーカ１４０、マイクロフォン１５０、電圧レギュレータ１６０、電源１６０、およびキーボード１８０を含むことができるが、本発明の範囲は、この本発明の例示的実施形態に限定されることは決してない。
【００１６】
本発明の範囲はこの点に限定されないが、本発明の幾らかの実施形態においては、半導体素子１２０がシステムオンチップ（ＳＯＣ）を含み、これが携帯通信機器の少なくとも幾らかのタスクを実行することができてもよい。例えば、半導体素子１２０は、セルラー無線電話システムで、および／またはＷＬＡＮで、および／またはＷＰＡＮで、および／またはピコネット（piconets）で、および／または他の類似したシステムあるいはネットワークで動作できる無線通信部１２１を含んでもよい。また、半導体素子１２０はプロセッサ１２２、メモリ１２３、入出力（Ｉ／Ｏ）インターフェース部１２４、電力管理部１２５、音声／ビデオ部１２６、ディスプレイコントローラ１２７、および周波数ジェネレータ１２８を含んでもよい。
【００１７】
本発明の範囲はこの点に限定されないが、アンテナ１１０は一以上のアンテナを含んでもよく、これらアンテナが、内部アンテナ、アンテナアレー、ダイポールアンテナ、マルチポールアンテナ、多方向アンテナなどを含んでもよい。本発明の幾つかの実施形態においては、アンテナ１１０は無線通信部１２１に操作可能に連結されてもよく、変調無線周波数（ＲＦ）信号を受信および／または送信してもよい。プロセッサ１２２は、デジタル信号プロセッサ（ＤＳＰ）、および／または他の種類のプロセッサを含んでもよく、適宜、バス１２９により半導体素子１２０の他の部に操作可能に連結されてもよい。
【００１８】
本発明の幾つかの実施形態においては、Ｉ／Ｏインターフェース部１２４は、キーボード１８０に操作可能に連結されてもよく、適宜、キーボードのストロークをプロセッサ１２２に伝達してもよい。メモリ１２３はフラッシュメモリおよび／または任意のほかの望ましい種類のメモリを含むことができ、アプリケーション、オペレーティングシステム、暫定データ値などを記憶することができてもよい。音声／ビデオ部１２６はスピーカ１４０およびマイクロフォン１５０に連結されてもよく、音声信号を加工してもよい。さらに、本発明の幾つかの他の実施形態においては、音声／ビデオ部１２６は、グラフィックプロセッサを含んでもよく、カメラあるいはビデオカメラ（不図示）に連結されてもよく、適宜、ディスプレイ１３０への表示を意図されてもよい画像および／またはビデオを加工することができてもよい。ディスプレイコントローラ１２７は、ディスプレイ１３０を制御してもよく、適宜、これは液晶ディスプレイおよび／または他の種類のグラフィックあるいは英数字表示を含んでもよい。
【００１９】
本発明の範囲はこの点に限定されないが、周波数ジェネレータ１２８は、半導体素子１２０の望ましいクロック周波数を生成してもよい。本発明の幾らかの実施形態によると、クロック周波数は半導体素子１２０の消費電力を制御すべく変化させてもよい。電力管理部１２５はバス１２９から参照番号を受け取ってもよく、これはクロック周波数に関するものでもよく、この参照数字を電圧値に変換することで半導体素子１２０の動作電圧を変化させる基礎として利用されてもよい。電力管理部１２５は電圧レギュレータ１６０に電圧値を提供してもよく、適宜、電圧レギュレータ１６０は半導体素子１２０の電圧をこの値により設定してもよい。
【００２０】
本発明の範囲はこの点に限定されないが、本発明のある実施形態によれば、半導体素子１２０は、半導体素子１２０の必要動作周波数を、該半導体素子の必要動作周波数および／または必要動作電圧レベルに関する対応参照数字に翻訳することもあるソフトウェアおよび／またはハードウェアおよび／またはハードウェアとソフトウェアの任意の組み合わせを含んでもよい。適宜、これら参照数字はさらにソフトウェアおよび／またはハードウェアおよび／またはハードウェアとソフトウェアの任意の組み合わせにより操作され、必要電圧値を提供することにしてもよい。
【００２１】
図２を参照すると、本発明の例示的実施形態による、電力管理システム２００の一部のブロック図が示されている。本発明の範囲はこの点に限定されないが、電力管理システム２００は半導体素子１２０の消費電力を制御することができてもよい。本発明のこの例示的実施形態では、電力管理システム２００は半導体素子１２０内部に実装されてよい。電力管理システム２００はハードウェアおよび／またはソフトウェアおよび／またはハードウェアとソフトウェアの任意の適切な組み合わせにより実装することもできる。
【００２２】
本発明の範囲はこの点に限定されないが、電力管理システム２００は、半導体素子１２０の動作周波数を制御することもある一以上の周波数制御レジスタ２２０、周波数範囲を電圧レベルにマッピングすることもある一以上のマッピングレジスタ２３０、電圧レベルを電圧値に設定することもある一以上の電圧設定レジスタ２４０、電圧レベルデコーダ２５０、電圧値デコーダ２６０、および電力管理部２７０を含んでもよい。
【００２３】
本発明の範囲はこの点に限定されないが、本発明の幾らかの実施形態において、メモリおよび／またはルックアップテーブルおよび／またはソフトウェア機能および／またはハードウェア部などを利用して周波数制御レジスタ２２０、マッピングレジスタ２３０、および電圧設定レジスタ２４０の機能を達成することができることは理解されるべきであるが、本発明の範囲はこの点に限定されない。
【００２４】
本発明の範囲はこの点に限定されないが、本発明の幾らかの実施形態においては、バス２８０は半導体素子１２０の異なる部からの値をレジスタ２２０、２３０、２４０へ提供してもよい。例えば、図１のプロセッサ１２２は必要な動作周波数値を周波数制御レジスタ２２０へ提供してもよい。周波数制御レジスタ２２０は必要な動作周波数値を周波数ジェネレータ１２８へ提供してもよく、周波数ジェネレータ１２８は半導体素子１２０の必要な動作周波数を設定してもよい。加えて、周波数制御レジスタ２２０は必要な動作周波数値を電力管理部２７０およびデコーダ２５０へ提供してもよい。
【００２５】
加えて、あるいは代わりに、半導体素子は異なる動作周波数を要求することもできる二以上のプロセッサおよび／または他の部を含んでもよく、異なる動作周波数は、適宜、周波数制御レジスタ２２０へ提供されてもよい。
【００２６】
本発明の一例示的実施形態によると、プロセッサ１２２はマッピングレジスタ２３０へ周波数値の範囲を提供してもよい。マッピングレジスタ２３０は周波数値の範囲を必要な電圧レベルへマッピングしてもよい。例えば、必要な電圧レベル値は、電圧レベルに関する参照数字であってよい（例えば、高・中・低電圧レベル）。別の例示的実施形態では、参照数字は第一、第二、第三、第四電圧レベルなどと関連付けられていてもよい。マッピングレジスタ２３０は適宜、周波数範囲と電圧レベルに関する参照数字とを整合させてもよい。電圧レベルデコーダ２５０は、必要な動作周波数により必要電圧レベルに参照数字を付与してもよい。
【００２７】
本発明の範囲はこの点に限定されないが、適宜、設定レジスタ２４０は一以上の電圧値を必要な電圧レベルに整合させ、整合された電圧値を電圧値デコーダ２６０に提供してもよい。電圧値デコーダ２６０は、参照数字（例えば必要な電圧レベル）と整合された電圧値とから必要な電圧値をデコードしてもよい。本発明の幾らかの実施形態によると、電力管理部２７０は必要な電圧と必要な動作周波数とを受け取ってもよく必要な電圧を半導体素子１２０へ提供するよう外部電圧レギュレータ（例えば、電圧レギュレータ１６０）を設定することにしてもよい。
【００２８】
本発明の範囲はこの点に限定されないが、例えば、半導体素子の動作電圧範囲は、０．５Ｖ―１．８Ｖという副範囲を含んでもよい。動作周波数範囲は適宜変化することができる（例えば、数ＭＨｚから約１ギガヘルツまで）。本発明の幾らかの実施形態においては、電力を公式１／２＊Ｃ＊Ｖ２＊Ｆにより計算してよく、ここでＣは半導体素子１２０のゲートの全てのトグルの電荷静電容量でもよく、Ｖは半導体素子１２０の供給電圧を表してもよく、Ｆは動作周波数を表してもよいが、本発明の範囲はこの点に限定されない。
【００２９】
本発明の幾らかの他の実施形態によれば、周波数コントローラ２９０は必要な周波数値を周波数制御レジスタ２２０へ提供してもよい（点線で示す）。周波数コントローラ２９０は、ハードウェア部を含むことにしてもよいが、半導体素子１２０の部および／または部材および／またはコアの消費電力を監視してもよいし、これら部および／または部材および／またはコアの周波数を必要な周波数へ変化させてもよいが、本発明の範囲はこの点に限定されない。
【００３０】
加えて、モニタ２９５（点線で示す）は、半導体素子の温度、加工スキュー、あるいは、（例えば自動的に）半導体素子の回路により決定することのできる任意の他の特性を監視してもよい。モニタ２９５は監視された特性の状況をデコーダ２６０へ提供してもよく、デコーダ２６０は必要な電圧レベルにより必要な電圧値をデコードしてもよい。電圧値デコーダ２６０は前記一以上の監視された特性で参照数字を操作できてもよいが、本発明の範囲はこの点に限定されない。
【００３１】
図３を参照すると、本発明の例示的実施形態による半導体素子の動作電圧の変化方法のフローチャートが示されている。本発明の範囲この点に限定されないが、例えば、電力管理システム２００は、適宜、半導体素子１２０の動作電圧を変化させる一以上の方法および／またはアルゴリズムおよび／または機構を利用してもよい。
【００３２】
本発明の一実施形態によると、電力管理システム２００は必要な電圧レベルを、例えばデコーダ２５０から受け取ってもよい（テキストブロック３００）。例えば、要求は例えば動作周波数が変化したときに受け取ることにしてもよく、あるいは例えば温度などの一以上の環境パラメタが変化したときに受け取ることにしてもよい（テキストブロック３１０）。必要な電圧値は例えばデコーダ２６０により決定されてもよく（テキストブロック３２０）、電力管理部２７０は、適宜、例えば図１の電圧レギュレータ１６０などの外部電圧レギュレータにより、電圧変更列を実行すべく駆動してもよい（テキストブロック３３０）。
【００３３】
図４を参照すると、本発明の別の実施形態による半導体素子の動作電圧の変化方法を示すフローチャートが示されている。本発明の範囲はこの点に限定されないが、半導体素子には、例えば図１の半導体素子１２０のようなシステムオンチップが含まれてもよい。さらに、半導体素子は、ソフトウェアアプリケーションを作動して半導体素子（例えば半導体素子１２０）の消費電力特性を制御することもあるプロセッサ（例えばプロセッサ１２２）を含んでもよい。本発明の一実施形態においては、ソフトウェアアプリケーションは周波数変更を要求してもよく、本発明の幾らかの実施形態においては、適宜、周波数変更要求をハードウェアにより行ってもよい（テキストブロック４００）。半導体素子の電力管理システムが必要な周波数変更が半導体素子の動作周波数よりも高くてもよいかを決定することにしてもよい（テキストブロック４１０）。例えば、本発明の幾らかの実施形態においては、適宜、ソフトウェアは周波数制御レジスタ（例えば周波数制御レジスタ２２０）を利用して周波数を変化させることにしてもよい。
【００３４】
本発明の幾らかの実施形態においては、電力管理システムは必要な電圧レベルを決定してもよく（テキストボックス４２０）、必要な電圧レベルが目下の電圧レベルよりも高い場合（テキストボックス４３０）、ソフトウェアおよび／またはハードウェアは電圧変更タスクを呼び出してもよい（テキストボックス４３０）。例えば、本発明の幾らかの実施形態においては、電圧変更タスクは電力管理部（例えば電力管理部２７０）を制御して半導体素子の電圧を変更してもよい。本発明のこの例示的実施形態においては、半導体素子の動作周波数を必要な周波数に変化させることで方法を終了することにしてもよい（テキストボックス４５０）。例えば、適宜、ソフトウェアアプリケーションは図１の周波数ジェネレータ１２８を必要な周波数に設定してもよい。
【００３５】
本発明の範囲は発明のこの例示的実施形態に限定されないが、必要な周波数は動作周波数より低くてもよく（テキストボックス４１０）、ソフトウェアが動作周波数を必要な周波数に変化させてもよい（テキストボックス４６０）。本発明のこの実施形態によると、必要な周波数レベルは目下の周波数レベルより低くてもよく（テキストボックス４８０）、ソフトウェアが電圧変更タスクを呼び出して必要な電圧レベルにより半導体素子の電圧を変更してもよい（テキストボックス４９０）。本発明の幾らかの実施形態においては、電圧変更タスクは、テキストブロック４４０および４５０に示されるように、電力管理部（例えば電力管理部２２０）からの承認信号（ＡＣＫ）を待ってもよいが、本発明の範囲はこの点に限定されない。
【００３６】
ここに本発明の幾らかの特徴を例示および記載したが、本技術分野の当業者には多くの変形、代替、変更、均等物が可能である。したがって付随する請求項は全てのこのような変形および変更が本発明の真の精神に含まれるよう網羅を意図している。
【図１】
2008524844.tif 000003
【図２】
2008524844.tif 000004
【図３】
2008524844.tif 000005
【図４】
2008524844.tif 000006
【国際調査報告】
2008524844.tif 000007
2008524844.tif 000008
2008524844.tif 000009